(57)【要約】  本開示の一実施形態に係る広告対価演算システムは、移動体の位置情報および時間情報を受信する受信部と、受信部で受信した位置情報および時間情報に基づいて、移動体への広告掲載に対する対価を決定する決定部とを備えている。
2018092474.tif 000002
【特許請求の範囲】
【請求項１】
移動体の位置情報および時間情報を受信する受信部と、
前記受信部で受信した前記位置情報および前記時間情報に基づいて、前記移動体への広告掲載に対する対価を決定する決定部と
を備えた
広告対価演算システム。
【請求項２】
前記受信部は、前記位置情報および前記時間情報とともに、前記移動体の識別情報を受信し、
前記決定部は、広告媒体として登録された複数の登録移動体の登録識別情報を記憶する記憶部の中に、前記受信部で受信した前記識別情報と一致する前記登録識別情報がある場合に、前記対価を決定する
請求項１に記載の広告対価演算システム。
【請求項３】
前記決定部で決定した前記対価についての情報を送信する送信部をさらに備えた
請求項１に記載の広告対価演算システム。
【請求項４】
前記決定部で決定した前記対価についての情報を送信する送信部をさらに備え、
前記記憶部は、前記登録識別情報ごとに、前記登録識別情報と関連付けられた登録送信先情報を記憶し、
前記送信部は、前記登録送信先情報に基づいて、前記対価についての情報を送信する
請求項２に記載の広告対価演算システム。
【請求項５】
前記決定部は、前記位置情報および前記時間情報が特典条件に該当する場合には、前記位置情報および前記時間情報が前記特典条件に該当しない場合と比べて前記対価を増額する
請求項１に記載の広告対価演算システム。
【請求項６】
前記受信部は、前記移動体の識別情報および送信先情報を受信するとともに、受信した前記登録情報および前記送信先情報を、前記登録移動体の前記登録識別情報および前記登録送信先情報として前記記憶部に記憶させる
請求項４に記載の広告対価演算システム。
【請求項７】
前記記憶部は、走行地域および走行距離のうち、少なくとも前記走行地域についての情報を要望情報として記憶し、
前記送信部は、前記登録送信先情報に基づいて、前記要望情報を送信する
請求項４に記載の広告対価演算システム。
【請求項８】
前記記憶部は、広告用の画像データと、前記画像データもしくは前記画像データを変換することにより得られる印刷データに基づいた印刷を行うことの可能な印刷所についての印刷所情報とを記憶し、
前記決定部は、前記登録識別情報と、前記印刷所情報とに基づいて、前記画像データもしくは前記印刷データに基づく印刷の実施に適した前記印刷所を決定し、
前記送信部は、前記決定部で決定した前記印刷所についての前記印刷所情報に基づいて、前記画像データもしくは前記印刷データを送信する
請求項４に記載の広告対価演算システム。
【請求項９】
前記印刷データは、ロイコ染料を含んで構成された記録層に対する印刷に適したデータ形式となっている
請求項８に記載の広告対価演算システム。
【請求項１０】
移動体の位置情報および時間情報を、前記位置情報および前記時間情報に基づいて前記移動体への広告掲載に対する対価を決定する外部機器に送信する送信部と、
前記外部機器から前記対価についての情報を受信する受信部と
を備えた
端末装置。
【請求項１１】
前記移動体の識別情報および送信先情報を受け付ける受付部をさらに備え、
前記送信部は、前記受付部で受け付けた前記識別情報および前記送信先情報を記憶装置
に送信する
請求項１０に記載の端末装置。
【請求項１２】
前記受信部で受信した前記対価についての情報を表示する表示部をさらに備えた
請求項１０に記載の端末装置。
【請求項１３】
前記受信部は、走行地域、走行ルート、走行時間帯、走行速度および走行曜日のうち、
少なくとも１つについての情報を要望情報として、前記外部機器から受信する
請求項１０に記載の端末装置。
【請求項１４】
前記受信部で受信した前記要望情報を表示する表示部をさらに備えた
請求項１３に記載の端末装置。
【発明の詳細な説明】
【技術分野】
【０００１】
本開示は、広告対価演算システムおよび端末装置に関する。
【背景技術】
【０００２】
広告は、人目に触れる様々な場所に設けられる。近年では、通常は広告スペースとして利用されないような場所に広告を掲載する例が多数、見受けられる。例えば、バンボディの大型トラックの荷台の側面や、バス・タクシーの側面などに、広告を掲載する例が多数、見受けられる。
【先行技術文献】
【非特許文献】
【０００３】
【非特許文献１】http://adtruck.jp/case.php
【発明の概要】
【０００４】
ところで、上述したような移動体は、常に、広告に適した場所を走行したり、広告に適した時間帯に走行したりするとは限らない。そのため、固定した場所に広告を掲載する場合と比べて、費用対効果を実感し難い。従って、広告主が移動体への広告掲載における費用対効果を実感し易い広告対価演算システムおよび端末装置を提供することが望ましい。
【０００５】
本開示の一実施形態に係る広告対価演算システムは、移動体の位置情報および時間情報を受信する受信部と、受信部で受信した位置情報および時間情報に基づいて、移動体への広告掲載に対する対価を決定する決定部とを備えている。
【０００６】
本開示の一実施形態に係る広告対価演算システムでは、移動体の位置情報および時間情報に基づいて、移動体への広告掲載に対する対価が決定される。これにより、広告主は、広告の掲載された移動体の走行場所や時間帯の広告価値に応じた対価を広告掲載費用として支払うことができる。
【０００７】
本開示の一実施形態に係る端末装置は、移動体の位置情報および時間情報を、位置情報および時間情報に基づいて移動体への広告掲載に対する対価を決定する外部機器に送信する送信部と、外部機器から対価についての情報を受信する受信部とを備えている。
【０００８】
本開示の一実施形態に係る端末装置では、移動体の位置情報および時間情報を外部機器に送信すると、位置情報および時間情報に基づいて決定された、移動体への広告掲載に対する対価についての情報が外部機器から得られる。これにより、広告主は、移動体のユーザに対して、広告の掲載された移動体の走行場所や時間帯の広告価値に応じた対価を広告掲載費用として支払うことができる。
【０００９】
本開示の一実施形態に係る広告対価演算システムによれば、移動体の位置情報および時間情報に基づいて、移動体への広告掲載に対する対価を決定するようにしたので、広告主は広告価値に応じた対価を広告掲載費用として支払うことができる。その結果、移動体への広告掲載における費用対効果を実感し易くすることができる。なお、本開示の効果は、ここに記載された効果に必ずしも限定されず、本明細書中に記載されたいずれの効果であってもよい。
【図面の簡単な説明】
【００１０】
【図１】本開示の一実施の形態に係る広告対価演算システムの概略構成例を表す図である。
【図２】情報記録層の断面構成例を表す図である。
【図３】図１のデータサーバ装置の機能ブロック例を表す図である。
【図４】図３のリクエストデータについてのデータベースの構成例を表す図である。
【図５】図３のポイントデータについてのデータベースの構成例を表す図である。
【図６】図５のポイントデータの詳細例を表す図である。
【図７】図３の登録データについてのデータベースの構成例を表す図である。
【図８】図３の走行データについてのデータベースの構成例を表す図である。
【図９】図３の履歴データについてのデータベースの構成例を表す図である。
【図１０】図３の対価データについてのデータベースの構成例を表す図である。
【図１１】図３の印刷所データについてのデータベースの構成例を表す図である。
【図１２】図１の印刷装置の機能ブロック例を表す図である。
【図１３】図１のウェブサーバ装置の機能ブロック例を表す図である。
【図１４】図１の広告主用の端末装置の機能ブロック例を表す図である。
【図１５】図１のドライバ用の端末装置の機能ブロック例を表す図である。
【図１６】図１の広告対価演算システムにおける登録データ登録時の処理手順の一例を表す図である。
【図１７】図１の広告対価演算システムにおけるリクエストデータおよびポイントデータの登録時の処理手順の一例を表す図である。
【図１８】図１の広告対価演算システムにおける対価決定時の処理手順の一例を表す図である。
【図１９】図１の広告対価演算システムにおけるポイントデータ閲覧時の処理手順の一例を表す図である。
【図２０】図１の広告対価演算システムにおける印刷要求時の処理手順の一例を表す図である。
【図２１】図１の広告対価演算システムの概略構成の一変形例を表す図である。
【発明を実施するための形態】
【００１１】
以下、本開示を実施するための形態について、図面を参照して詳細に説明する。以下の説明は本開示の一具体例であって、本開示は以下の態様に限定されるものではない。なお、説明は以下の順序で行う。
１．実施の形態
広告主からの依頼に基づいて広告を移動体に印刷した例
２．変形例
変形例Ａ：ドライバからの要求に基づいて広告を移動体に印刷した例
変形例Ｂ：広告を移動体に貼り付けた例
【００１２】
＜実施の形態＞
[構成]
本開示の一実施の形態に係る広告対価演算システム１について説明する。図１は、本実施の形態に係る広告対価演算システム１の概略構成例を表したものである。広告対価演算システム１は、広告主１１００からの依頼に基づいて広告が印刷された移動体１０００の走行データに基づいて、ドライバ１２００に支払う広告掲載費用を決定するシステムである。以下では、移動体１０００に印刷された広告を適宜、「広告１３００」と称するものとする。
【００１３】
広告１３００は、例えば、送り手である広告主１１００が受け手である消費者の態度や行動に影響を与える目的で製作される情報を含んでいる。広告１３００は、例えば、そのような情報の他に、消費者の目を引くデザイン（例えば、イラストや写真など）を含んでいてもよい。移動体１０００は、例えば、バス、タクシー、トラック、レンタカーなどの業務用自動車、または、ワンボックスカーやＳＵＶ（Sport Utility Vehicle）などの個人利用の自動車である。広告１３００は、例えば、バンボディの大型トラックの荷台の側面や、バス・タクシー・レンタカー・ワンボックスカー・ＳＵＶなどの側面などに配置される。移動体１０００の印刷面は、例えば、図２に示したような情報記録層９００を有している。
【００１４】
情報記録層９００は、様々な情報が視認可能に記録されるものである。情報記録層９００は、例えば、基体９１０と、記録層９２０，９４０，９６０と、断熱層９３０，９５０と、保護層９７０とを有している。記録層９２０、断熱層９３０、記録層９４０、断熱層９５０、記録層９６０、保護層９７０は、基体９１０の表面に、この順に形成されている。
【００１５】
基体９１０は、その表面に各層を形成するための基板として機能するものである。基体９１０は光を透過するものであってもよいし、光を透過しないものであってもよい。光を透過しない場合には、基体９１０の表面の色は、例えば白色であってもよいし、白色以外の色であってもよい。
【００１６】
記録層９２０，９４０，９６０は、発色状態と消色状態との間で可逆的に状態を変化させることができるものである。記録層９２０，９４０，９６０は、発色状態における色が互いに異なる色になるように構成されている。具体的には、この例では、記録層９２０は、マゼンタ色に発色可能であり、記録層９４０は、シアン色に発色可能であり、記録層９６０は、黄色に発色可能である。なお、記録層９２０，９４０，９６０は、上記の例に限定されるものではなく、３つの記録層９２０，９４０，９６０と３色（マゼンタ色、シアン色、黄色）とがどのように対応していてもよい。また、記録層９２０，９４０，９６０は、消色状態では透明になる。これにより、情報記録層９００は、広い色域の色を用いて、情報を記録することができるようになっている。
【００１７】
記録層９２０，９４０，９６０のそれぞれは、例えば、ロイコ染料を含んで構成されている。この場合、記録層９２０，９４０，９６０のそれぞれは、例えば、ロイコ染料に加え、顕色剤と、光熱変換材料と、ポリマーとを含んで構成されている。ロイコ染料は、熱により顕色剤と結合して発色状態になり、あるいは顕色剤と分離して消色状態になるものである。３つの記録層９２０，９４０，９６０のロイコ染料は、発色状態における色が互いに異なるものである。光熱変換材料は、赤外光を吸収して熱を発するものである。３つの記録層９２０，９４０，９６０の光熱変換材料は、吸収する赤外光の波長が互いに異なるものである。
【００１８】
断熱層９３０は、記録層９２０と記録層９４０との間で互いに熱が伝わりにくくするためのものである。断熱層９５０は、記録層９４０と記録層９６０との間で互いに熱が伝わりにくくするためのものである。保護層９７０は、情報記録層９００の表面を保護するためのものである。断熱層９３０，９５０および保護層９７０は、透明な材料を用いて構成されている。
【００１９】
上記の構成により、移動体１０００に、様々な情報を視認可能に記録することができる。具体的には、情報記録層９００に情報（文字や図形）を記録する場合には、その文字パターンや図形パターンに基づいて赤外光が情報記録層９００に照射される。この赤外光の波長は、記録したい文字や図形の色に応じた波長に設定される。記録層９２０，９４０，９６０のそれぞれでは、光熱変換材料が、その光熱変換材料に対応する波長の赤外光を吸収して熱を発する。そして、その光熱変換材料により生じた熱により、ロイコ染料が顕色剤と結合して発色状態になり、あるいは顕色剤と分離して消色状態になる。このようにして、移動体１０００には、様々な情報が視認可能に記録される。また、情報記録層９００は、視認可能に記録された情報を書き換えることもできるようになっている。
【００２０】
なお、広告対価演算システム１において、情報記録層９００の設けられていない移動体１０００の印刷面に対して、インクを塗布することによる印刷処理を行うことにより、広告１３００が形成されてもよい。
【００２１】
広告対価演算システム１は、例えば、データサーバ装置２００、印刷装置３００、ウェブサーバ装置４００、広告主１１００が用いる端末装置５００およびドライバ１２００が用いる端末装置６００を備えている。データサーバ装置２００、印刷装置３００、ウェブサーバ装置４００、端末装置５００および端末装置６００は、ネットワーク１００を介して相互に接続される。ネットワーク１００は、例えば、インターネットで標準的に利用されている通信プロトコル（ＴＣＰ／ＩＰ）を用いて通信を行うネットワークである。ネットワーク１００は、例えば、そのネットワーク独自の通信プロトコルを用いて通信を行うセキュアなネットワークであってもよい。ネットワーク１００は、例えば、インターネット、イントラネット、または、ローカルエリアネットワークである。ネットワーク１００と、データサーバ装置２００、印刷装置３００、ウェブサーバ装置４００、端末装置５００または端末装置６００との接続は、例えば、有線ＬＡＮ（Ｌｏｃａｌ  Ａｒｅａ  Ｎｅｔｗｏｒｋ）であってもよいし、Ｗｉ−Ｆｉ等の無線ＬＡＮや、携帯電話回線などであってもよい。
【００２２】
（データサーバ装置２００）
図３は、データサーバ装置２００の概略構成例を表したものである。データサーバ装置２００は、例えば、記憶部２１０、通信部２２０および制御部２３０を有している。制御部２３０は、通信部２２０を介して外部から入力された情報を処理したり、記憶部２１０から読み出した情報を、通信部２２０を介して外部に出力したりする。通信部２２０は、ネットワーク１００を介して、他の機器と通信を行う。
【００２３】
記憶部２１０は、例えば、不揮発性メモリによって構成されており、例えば、ＥＥＰＲＯＭ（Electrically Erasable Programmable Read-Only Memory）、フラッシュメモリ、抵抗変化型メモリなどによって構成されている。記憶部２１０には、例えば、複数の画像データ２１１が記憶される。各画像データ２１１は、例えば、広告主１１００からの提供によって、データサーバ装置２００に記憶される。各画像データ２１１は、例えば、広告１３００用の画像データと、広告１３００用の画像データに付加されたファイル名とを含んでいる。
【００２４】
記憶部２１０は、さらに、例えば、図４〜図１１に示したように、検索や蓄積が容易にできるよう整理されたデータベース２１２，２１３，２１４，２１５，２１６，２１７，２１８を有している。
【００２５】
図４は、リクエストデータ５１１（要望情報）についてのデータベース２１２の構成例を表したものである。複数のリクエストデータ５１１は、例えば、データベース２１２に格納される。従って、記憶部２１０は、複数のリクエストデータ５１１を記憶する。以下では、データベース２１２が図４に示した構成となっているものとして説明する。なお、データベース２１２は、図４に示した構成に限定されるものではない。
【００２６】
各リクエストデータ５１１は、例えば、多数の広告主１１００からの個々のリクエストデータ５１１を識別するためのリクエストＩＤ（Identification）を含んでいる。各リクエストデータ５１１は、広告媒体としての移動体１０００への要件についての情報を含んでいる。従って、広告対価演算システム１は、広告主１１００からのリクエストデータ５１１の受け付けを、広告主１１００からの広告掲載依頼として扱うことができる。各リクエストデータ５１１は、例えば、リクエストＩＤ、ファイル名および車体情報を含んでいる。各リクエストデータ５１１は、例えば、リクエストＩＤごとに、リクエストＩＤと関連付けられたファイル名および車体情報を含んでいる。各リクエストデータ５１１は、例えば、さらに、走行地域および走行距離のうち、少なくとも走行地域を含んでいる。各リクエストデータ５１１は、例えば、リクエストＩＤごとに、リクエストＩＤと関連付けられた走行地域を含んでいる。さらに、各リクエストデータ５１１は、例えば、リクエストＩＤごとに、リクエストＩＤと関連付けられた走行距離を含んでいる。
【００２７】
ファイル名は、画像データ２１１のファイル名である。車体情報は、広告掲載対象の車体についての情報である。車体情報は、例えば、メーカ、車種、年式、型番、国などの情報を含んでいる。走行地域は、広告掲載対象の車体が走行する地域についての情報である。走行距離は、広告掲載対象の車体の走行距離についての情報である。
【００２８】
図５は、ポイントデータ５１２についてのデータベース２１３の構成例を表したものである。複数のポイントデータ５１２は、例えば、データベース２１２に格納される。従って、記憶部２１０は、複数のポイントデータ５１２を記憶する。以下では、ポイントデータ５１２が図５に示した構成となっているものとして説明する。なお、ポイントデータ５１２は、図５に示した構成に限定されるものではない。
【００２９】
各ポイントデータ５１２には、例えば、多数の広告主１１００からの個々のリクエストデータ５１１を識別するためのリクエストＩＤ（Identification）が付加される。各ポイントデータ５１２は、広告掲載における広告主１１００の特別な要望についての情報と、その要望に応えた移動体１０００に対する特別な対価（ボーナス）についての情報とを含んでいる。従って、広告対価演算システム１は、広告主１１００からのポイントデータ５１２の受け付けを、広告主１１００からのボーナス提供として扱うことができる。各ポイントデータ５１２は、例えば、走行地域、走行ルート、走行時間帯、走行速度、走行曜日、特定の地域・時間帯、および特定のルート・時間帯を含んでいる。
【００３０】
走行地域は、リクエストデータ５１１に含まれる地域の中で、特に、ドライバ１２００に走行を希望する地域である。走行ルートは、リクエストデータ５１１に含まれる地域の中で、特に、広告主１１００がドライバ１２００に走行を希望するルートである。走行時間帯は、広告主１１００がドライバ１２００に走行を希望する時間帯である。走行速度は、広告主１１００がドライバ１２００に希望する移動体１０００の速度である。走行曜日は、広告主１１００がドライバ１２００に走行を希望する曜日である。特定の地域・時間帯は、イベントが開催される予定の地域・時間帯である。特定のルート・時間帯は、イベントが開催される予定のルート・時間帯である。
【００３１】
図６は、ポイントデータ５１２の詳細な構成例を表したものである。ポイントデータ５１２は、例えば、走行地域、走行ルート、走行時間帯、走行速度、走行曜日、特定の地域・時間帯、および特定のルート・時間帯を含んでいる。ポイントデータ５１２は、例えば、さらに、広告単価およびイベントＯＮ時を含んでいてもよい。「イベントＯＮ時」とは、イベントが予定されている時を指している。イベントとは、例えば、広告主１１００が自社製品の宣伝のために特別に主催するイベントを指している。
【００３２】
ポイントデータ５１２の走行地域には、例えば、Ａ：○○市、Ｂ：△△市、Ｃ：＊＊町、Ｄ：□□町といった、地域についての情報が箇条書きされている。ポイントデータ５１２の走行地域に含まれる地域ごとに、例えば、広告単価に対して乗算する係数（以下、単に「係数」と称する。）が割り当てられている。さらに、ポイントデータ５１２の走行地域に含まれる地域ごとに、例えば、イベントのＯＮまたはＯＦＦが選択されている。「イベントのＯＮ」とは、イベントが予定されていることを指している。「イベントのＯＦＦ」とは、イベントが予定されていないことを指している。係数は、ドライバ１２００に対するインセンティブとしての側面を有している。係数は、係数の大きな地域での走行をドライバ１２００に促す仕組みである。
【００３３】
ポイントデータ５１２の走行ルートには、例えば、Ａ：国道○号線、Ｂ：国道△号線、Ｃ：県道＊号線、Ｄ：市道＊号線といった、道路についての情報が箇条書きされている。ポイントデータ５１２の走行ルートに含まれる道路ごとに、例えば、係数が割り当てられている。さらに、ポイントデータ５１２の走行ルートに含まれる道路ごとに、例えば、イベントのＯＮまたはＯＦＦが選択されている。係数は、係数の大きな走行ルートでの走行をドライバ１２００に促す仕組みである。
【００３４】
ポイントデータ５１２の走行時間帯には、例えば、Ａ：９：００〜１６：００、Ｂ：１６：００〜２１：００、Ｃ：２１：００〜０５：００、Ｄ：０５：００〜０９：００といった、時間帯についての情報が箇条書きされている。ポイントデータ５１２の走行時間帯に含まれる時間帯ごとに、例えば、係数が割り当てられている。さらに、ポイントデータ５１２の走行時間帯に含まれる時間帯ごとに、例えば、イベントのＯＮまたはＯＦＦが選択されている。係数は、係数の大きな時間帯での走行をドライバ１２００に促す仕組みである。
【００３５】
ポイントデータ５１２の走行速度には、例えば、Ａ：８０ｋｍ／ｈ以上、Ｂ：５０ｋｍ／ｈ〜８０ｋｍ／ｈ、Ｃ：２０ｋｍ／ｈ〜５０ｋｍ／ｈ、Ｄ：０ｋｍ／ｈ〜２０ｋｍ／ｈといった、移動体１０００の速度についての情報が箇条書きされている。ポイントデータ５１２の走行速度に含まれる速度ごとに、例えば、係数が割り当てられている。さらに、ポイントデータ５１２の走行速度に含まれる速度ごとに、例えば、イベントのＯＮまたはＯＦＦが選択されている。係数は、係数の大きな速度での走行をドライバ１２００に促す仕組みである。
【００３６】
ポイントデータ５１２の走行曜日には、例えば、Ａ：平日、Ｂ：土日、Ｃ：祝日といった、移動体１０００が走行する曜日についての情報が箇条書きされている。ポイントデータ５１２の走行曜日に含まれる曜日ごとに、例えば、係数が割り当てられている。さらに、ポイントデータ５１２の走行曜日に含まれる曜日ごとに、例えば、イベントのＯＮまたはＯＦＦが選択されている。係数は、係数の大きな曜日での走行をドライバ１２００に促す仕組みである。
【００３７】
ポイントデータ５１２の「特定の地域・時間帯」には、例えば、係数が割り当てられている。さらに、ポイントデータ５１２の「特定の地域・時間帯」には、例えば、イベントのＯＮまたはＯＦＦが選択されている。ポイントデータ５１２の「特定の地域・時間帯」に割り当てられた係数は、ポイントデータ５１２の走行地域などに割り当てられた係数よりも大きな値となっている。値の大きな係数が、「特定の地域・時間帯」での走行をドライバ１２００に促す。
【００３８】
ポイントデータ５１２の「特定のルート・時間帯」には、例えば、係数が割り当てられている。さらに、ポイントデータ５１２の「特定のルート・時間帯」には、例えば、イベントのＯＮまたはＯＦＦが選択されている。ポイントデータ５１２の「特定のルート・時間帯」に割り当てられた係数は、ポイントデータ５１２の走行ルートなどに割り当てられた係数よりも大きな値となっている。値の大きな係数が、「特定のルート・時間帯」での走行をドライバ１２００に促す。
【００３９】
ポイントデータ５１２の広告単価には、例えば、単位時間当たりの広告単価および単位距離あたりの広告単価が箇条書きされている。ポイントデータ５１２の「イベントＯＮ時」には、イベントＯＮ時の係数が割り当てられている。つまり、「イベントＯＮ時」には、イベント欄がＯＮとなっている各係数が、イベントＯＮ時の係数に差し替えられ、より大きな値となる。ポイントデータ５１２の広告単価は、例えば、金額であってもよいし、金額に換算可能なポイントであってもよい。
【００４０】
図７は、登録データ６１１についてのデータベース２１４の構成例を表したものである。複数の登録データ６１１は、例えば、データベース２１４に格納される。従って、記憶部２１０は、複数の登録データ６１１を記憶する。以下では、データベース２１４が図７に示した構成となっているものとして説明する。なお、データベース２１４は、図７に示した構成に限定されるものではない。
【００４１】
各登録データ６１１は、例えば、多数の移動体１０００を識別するための登録ユーザＩＤ（Identification）（登録識別情報）を含んでいる。各登録データ６１１は、さらに、広告媒体としての移動体１０００についての情報を含んでいる。従って、広告対価演算システム１は、ドライバ１２００からの登録データ６１１の受け付けを、広告媒体のエントリーとして扱うことができる。各登録データ６１１は、例えば、登録ユーザＩＤ、登録送信先情報、車体情報、居住情報、走行距離および走行時間帯を含んでいる。各登録データ６１１は、登録ユーザＩＤごとに、登録ユーザＩＤと関連付けられた登録送信先情報を含んでいる。
【００４２】
登録送信先情報は、例えば、ウェブサーバ装置４００が端末装置６００に対してデータ（例えば、対価データ４１１）を送信する際に必要となるアドレス情報である。アドレス情報としては、例えば、端末装置６００のアドレスまたは電子メールアドレスなどが挙げられる。車体情報は、例えば、移動体１０００のメーカ、車種、年式、型番、国などの情報を含んでいる。居住情報は、例えば、移動体１０００を駐車させる駐車場の居所についての情報である。走行距離は、移動体１０００の走行距離についての情報である。走行時間帯は、移動体１０００が普段、走行する時間帯についての情報である。
【００４３】
図８は、走行データ６１２についてのデータベース２１５の構成例を表したものである。複数の走行データ６１２は、例えば、データベース２１５に格納される。従って、記憶部２１０は、複数の走行データ６１２を記憶する。以下では、データベース２１５が図８に示した構成となっているものとして説明する。なお、データベース２１５は、図８に示した構成に限定されるものではない。
【００４４】
各走行データ６１２は、例えば、多数の移動体１０００を識別するための登録ユーザＩＤを含んでいる。各走行データ６１２は、後述のＧＰＳ通信部６３０によって取得された情報を含んでいる。各走行データ６１２は、例えば、登録ユーザＩＤ、移動体１０００の位置情報および時間情報を含んでいる。各走行データ６１２は、例えば、登録ユーザＩＤごとに、登録ユーザＩＤと関連付けられた移動体１０００の位置情報および時間情報を含んでいる。各走行データ６１２に含まれる位置情報は、例えば、緯度経度についての情報である。各走行データ６１２に含まれる時間情報は、例えば、年月日および時刻を含む情報である。
【００４５】
図９は、履歴データ４１１についてのデータベース２１６の構成例を表したものである。複数の履歴データ４１１は、例えば、データベース２１６に格納される。以下では、データベース２１６が図９に示した構成となっているものとして説明する。なお、データベース２１６は、図９に示した構成に限定されるものではない。
【００４６】
各履歴データ４１１には、例えば、多数の移動体１０００を識別するための登録ユーザＩＤが付加される。各履歴データ４１１は、ポイントデータ５１２に含まれる「特定の地域・時間帯」に移動体１０００が走行した回数と、ポイントデータ５１２に含まれる「特定のルート・時間帯」に移動体１０００が走行した回数とを含んでいる。
【００４７】
図１０は、対価データ４１２についてのデータベース２１７の構成例を表したものである。複数の対価データ４１２は、例えば、データベース２１７に格納される。従って、記憶部２１０は、複数の対価データ４１２を記憶する。以下では、データベース２１７が図１０に示した構成となっているものとして説明する。なお、データベース２１７は、図１０に示した構成に限定されるものではない。
【００４８】
各対価データ４１２は、例えば、多数の移動体１０００を識別するための登録ユーザＩＤを含んでいる。各対価データ４１２は、移動体１０００への広告掲載に対する対価についての情報を含んでいる。各対価データ４１２は、例えば、移動体１０００への広告掲載に対する対価についての情報として、金銭、または、金銭的な価値のあるポイントについての情報を含んでいる。各対価データ４１２は、例えば、登録ユーザＩＤごとに、登録ユーザＩＤと関連付けられた対価についての情報を含んでいる。
【００４９】
図１１は、印刷所データ２１９についてのデータベース２１８の構成例を表したものである。複数の印刷所データ２１９は、例えば、データベース２１８に格納される。従って、記憶部２１０は、複数の印刷所データ２１９を記憶する。以下では、データベース２１８が図１１に示した構成となっているものとして説明する。なお、データベース２１８は、図１１に示した構成に限定されるものではない。
【００５０】
各印刷所データ２１９は、広告用の画像データ２１１もしくはこの画像データ２１１を変換することにより得られる印刷データ３４０Ａに基づいた印刷を行うことの可能な印刷所についての印刷所情報を含んでいる。各印刷所データ２１９は、例えば、印刷所情報として、多数の印刷所を識別するための登録印刷所ＩＤを含んでいる。各印刷所データ２１９は、さらに、例えば、印刷所情報として、登録送信先情報および地域を含んでいる。各印刷所データ２１９に含まれる登録送信先情報は、例えば、ウェブサーバ装置４００が印刷装置３００に対してデータ（画像データ２１１もしくは印刷データ３４０Ａ）を送信する際に必要となる、印刷装置３００のアドレスである。各印刷所データ２１９に含まれる地域は、例えば、印刷所の居所についての情報である。各印刷所データ２１９は、例えば、登録印刷所ＩＤごとに、登録印刷所ＩＤと関連付けられた登録送信先情報を含んでいる。印刷所としては、例えば、印刷会社、板金工場、自動車修理工場、または、ガソリンスタンドなどが挙げられる。
【００５１】
記憶部２１０は、さらに、例えば、図３に示したように、必要に応じて、地図データ２２１およびカレンダデータ２２２を有している。地図データ２２１は、緯度経度についての情報に対して住所が対応付けられたデータである。カレンダデータ２２２は、年月日および時刻に対して曜日が対応付けられたデータである。
【００５２】
（印刷装置３００）
印刷装置３００は、ウェブサーバ装置４００から入力された信号に基づいて、印刷処理を行う。印刷装置３００は、例えば、情報記録層９００を有する移動体１０００の印刷面に対する印刷処理を行う。印刷装置３００は、例えば、情報記録層９００を有しない移動体１０００の印刷面に対して、インクを塗布することによる印刷処理を行うようになっていてもよい。印刷装置３００は、本開示の「記憶部」「記憶装置」の一具体例に対応する。
【００５３】
図１２は、印刷装置３００の概略構成例を表したものである。印刷装置３００は、例えば、印刷部３１０、記憶部３２０、通信部３３０および制御部３４０を有している。制御部３４０は、プロセッサを含んで構成されている。制御部３４０は、例えば、通信部３３０を介して外部から入力されたデータ（画像データ２１１もしくは印刷データ３４０Ａ）を印刷部３１０に出力する。制御部３４０は、さらに、例えば、通信部３３０を介して外部から入力されたデータ（画像データ２１１もしくは印刷データ３４０Ａ）を記憶部３２０に記憶させる。通信部３３０は、ネットワーク１００を介して、他の機器と通信を行う。印刷部３１０は、例えば、制御部３４０から入力されたデータ（画像データ２１１もしくは印刷データ３４０Ａ）基づいて、印刷処理を行う。印刷部３１０における印刷処理としては、例えば、ロイコ染料を含む情報記録層９００に対してレーザを照射する処理や、印刷面に対してインクを塗布する処理が挙げられる。印刷データは、例えば、ロイコ染料を含んで構成された情報記録層９００に対する印刷に適したデータ形式となっている。なお、印刷装置３００に入力されたデータが画像データ２１１である場合には、制御部３４０は、例えば、画像データ２１１を、印刷データ３４０Ａに変換し、印刷部３１０に出力する。
【００５４】
（ウェブサーバ装置４００）
図１３は、ウェブサーバ装置４００の概略構成例を表したものである。ウェブサーバ装置４００は、端末装置５００，６００におけるユーザインターフェースを提供する。ウェブサーバ装置４００は、さらに、受信した走行データ６１２を用いた演算を行う。具体的には、ウェブサーバ装置４００は、移動体１０００の走行データ６１２を受信し、受信した走行データ６１２に基づいて、移動体１０００への広告掲載に対する対価を決定する。ウェブサーバ装置４００は、例えば、記憶部４１０、通信部４２０および制御部４３０を有している。ウェブサーバ装置４００は、本開示の「広告対価演算システムにおける受信部」「決定部」「広告対価演算システムにおける送信部」「外部機器」の一具体例に対応する。
【００５５】
通信部４２０は、ネットワーク１００を介して、広告対価演算システム１内の他の装置（データサーバ装置２００等）と通信を行う。記憶部４１０は、例えば、不揮発性メモリによって構成されており、例えば、ＥＥＰＲＯＭ、フラッシュメモリ、抵抗変化型メモリなどによって構成されている。記憶部４１０は、制御部４３０によって実行されるプログラム（例えば、ウェブサーバプログラム４１３や、ウェブアプリケーションプログラム４１４）などを記憶している。ウェブアプリケーションプログラム４１４は、ネットワーク１００を介して使用するアプリケーションプログラムである。ウェブアプリケーションプログラム４１４は、ウェブサーバプログラム４１３と後述のウェブブラウザプログラム５１３もしくは後述のウェブブラウザプログラム６１３とが協調することによって動作する。制御部４３０は、プロセッサを含んで構成されており、例えば、記憶部４１０に記憶されたウェブサーバプログラム４１３や、ウェブアプリケーションプログラム４１４などを実行する。制御部４３０の機能は、例えば、制御部４３０によって、ウェブサーバプログラム４１３やウェブアプリケーションプログラム４１４が実行されることによって実現される。記憶部４１０には、例えば、履歴データ４１１および対価データ４１２が記憶される。履歴データ４１１および対価データ４１２は、制御部４３０によって、ウェブサーバプログラム４１２やウェブアプリケーションプログラム４１３が実行されることによって導出される。
【００５６】
具体的には、制御部４３０は、広告媒体として登録するための移動体１０００の登録データ６１１を、端末装置６００および通信部４２０を介して受信する。登録データ６１１は、ドライバ１２００によって端末装置６００に入力された情報である。制御部４３０は、受信した登録データ６１１を、通信部４２０を介して記憶部２１０のデータベース２１３に記憶させる。
【００５７】
制御部４３０は、リクエストデータ５１１およびポイントデータ５１２を、端末装置５００および通信部４２０を介して受け付ける。リクエストデータ５１１およびポイントデータ５１２は、広告主１１００によって端末装置５００に入力された情報である。制御部４３０は、リクエストデータ５１１およびポイントデータ５１２を受け付けると、リクエストデータ５１１およびポイントデータ５１２を、通信部４２０を介して記憶部２１０のデータベース２１２に格納する。
【００５８】
制御部４３０は、リクエストデータ５１１を受け付けると、さらに、記憶部２１０のデータベース２１２の中に、リクエストデータ５１１と一致する登録データ６１１があるか否か判定する。その結果、一致する登録データ６１１があった場合には、制御部４３０は、一致した登録データ６１１に含まれる登録送信先情報に基づいて、広告掲載依頼を送信する。制御部４３０は、広告掲載依頼の承諾を意味する印刷依頼を、端末装置６００および通信部４２０を介して受け付ける。制御部４３０は、広告掲載依頼の承諾を意味する印刷依頼を受け付けると、リクエストデータ５１１に含まれるファイル名に対応する画像データ２１１を、記憶部２１０から読み出す。制御部４３０は、読み出した画像データ２１１を印刷データ３４０Ａに変換し、変換により得られた印刷データ３４０Ａを、通信部４２０を介して印刷装置３００に出力する。印刷データ３４０Ａは、印刷装置３００によって理解可能なスクリプトで記述されたデータである。印刷データ３４０Ａは、例えば、図２に示したような情報記録層９００に対する印刷に適した形式のデータとなっている。なお、印刷データ３４０Ａは、図２に示したような情報記録層９００に対する印刷に適した形式のデータに限定されるものではない。印刷装置３００が、外部から入力されたデータを印刷データに変換する機能を有している場合には、制御部４３０は、読み出した画像デ ータ２１１を印刷データ３４０Ａに変換せずに、印刷装置３００に出力してもよい。
【００５９】
制御部４３０は、走行データ６１２を、端末装置６００および通信部４２０を介して受け付ける。走行データ６１２は、移動体１０００の位置情報および時間情報を含んでいる。制御部４３０は、走行データ６１２を受け付けると、走行データ６１２を、通信部２２０を介して記憶部２１０のデータベース２１４に格納する。制御部４３０は、走行データ６１２を受け付けると、さらに、走行データ６１２に基づいて、移動体１０００への広告掲載に対する対価（対価データ４１２）を決定する。制御部４３０は、例えば、決定した対価についての情報（対価データ４１２）を、通信部４２０を介して、端末装置６００およびデータサーバ装置２００に送信する。制御部４３０は、例えば、記憶部２１０のデータベース２１４の中に、走行データ６１２に含まれる登録ユーザＩＤと一致する登録ユーザＩＤがあるか否か判定する。その結果、記憶部２１０のデータベース２１４の中に、走行データ６１２に含まれる登録ユーザＩＤと一致する登録ユーザＩＤがある場合に、制御部４３０は、走行データ６１２に基づいて、移動体１０００への広告掲載に対する対価（対価データ４１２）を決定する。制御部４３０は、さらに、走行データ６１２に含まれる登録ユーザＩＤに対応する登録送信先情報を記憶部２１０のデータベース２１４から読み出し、読み出した登録送信先情報に基づいて、決定した対価についての情報（対価データ４１２）を送信する。
【００６０】
制御部４３０は、まず、例えば、記憶部２１０のデータベース２１２の中に、走行データ６１２に含まれる位置情報および時間情報と一致するリクエストデータ５１１があるか否か判定する。その結果、一致するリクエストデータ５１１があった場合には、制御部４３０は、一致したリクエストデータ５１１のリクエストＩＤに対応するポイントデータ５１２に含まれる広告単価および係数と、走行データ６１２に含まれる位置情報（位置情報ａ）および時間情報（時間情報ｂ）とに基づいて、対価（対価データ４１２）を決定する。
【００６１】
このとき、制御部４３０は、例えば、走行データ６１２に含まれる位置情報および時間情報が上記ポイントデータ５１２に含まれる特典内容に該当する場合には、走行データ６１２に含まれる位置情報および時間情報が上記特典内容に該当しない場合と比べて、対価（対価データ４１２）を増額する。ポイントデータ５１２に含まれる特典内容とは、例えば、係数が２以上の項目に該当する内容を指している。
【００６２】
制御部４３０は、例えば、各走行データ６１２に含まれる位置情報を、地図データ２２１を用いて、緯度経度についての情報に変換する。制御部４３０は、例えば、各走行データ６１２に含まれる時間情報を、カレンダデータ２２２を用いて、西暦、日時および時刻を含む情報に変換する。制御部４３０は、例えば、そのようにして得られた緯度経度についての情報および西暦、日時および時刻を含む情報が上記特典内容に該当するか否かを判定する。その結果、緯度経度についての情報および西暦、日時および時刻を含む情報が上記特典内容に該当する場合には、制御部４３０は、例えば、通常よりも高い広告単価を用いて、対価（対価データ４１２）を決定する。
【００６３】
制御部４３０は、例えば、位置情報ａに対応する走行地域の係数（係数ｃ）および時間情報ｂに対応する走行時間帯の係数（係数ｄ）のうち、数値の大きな方の係数（例えば、係数ｃ）を選択する。制御部４３０は、さらに、例えば、走行データ６１２に含まれる位置情報に基づいて、移動体１０００の走行距離（走行距離ｅ）を算出する。制御部４３０は、さらに、例えば、走行データ６１２に含まれる時間情報に基づいて、移動体１０００の走行時間（走行時間ｆ）を算出する。制御部４３０は、さらに、例えば、算出した走行距離ｅを単位距離で割ることにより得られた値（値ｇ）および算出した走行時間ｆを単位時間で割ることにより得られた値（値ｈ）のうち、数値の大きな方の値（例えば、値ｈ）を選択する。制御部４３０は、さらに、例えば、選択した値（例えば、値ｈ）と、選択した値（例えば、値ｈ）に対応する広告単価（例えば、単位時間あたりの単価）とを互いに乗算することにより、対価データ４１２を導出する。
【００６４】
（端末装置５００）
図１４は、端末装置５００の概略構成例を表したものである。
【００６５】
端末装置５００は、例えば、記憶部５１０、通信部５２０、受付部５３０、表示部５４０および制御部５５０を有している。表示部５４０は、例えば、液晶パネルや有機ＥＬパネルなどで構成されている。受付部５３０は、端末装置５００におけるユーザインターフェースであり、例えば、表示部５４０の表示面に表示されるＧＵＩ（グラフィカルユーザインターフェース）である。記憶部５１０は、制御部５５０によって実行されるプログラム（例えば、ウェブブラウザプログラム５１２や、オペレーティングシステム）などを記
憶している。記憶部５１０には、例えば、リクエストデータ５１１およびポイントデータ５１２が記憶される。
【００６６】
制御部５５０は、プロセッサを含んで構成されており、記憶部５１０に記憶されたウェブブラウザプログラム５１２や、オペレーティングシステムなどを実行する。通信部５２０は、ネットワーク１００を介して、広告対価演算システム１内の他の装置（ウェブサーバ装置４００等）と通信を行う。端末装置５００におけるユーザインターフェース（受付部５３０）は、例えば、ウェブサーバ装置４００から取得したアプリケーション（例えば、ｈｔｍｌデータ）をウェブブラウザプログラム５１２で処理することにより実現される。
【００６７】
制御部５５０は、リクエストデータ５１１およびポイントデータ５１２の、広告主１１００からの入力を受け付ける。制御部５５０は、受け付けたリクエストデータ５１１およびポイントデータ５１２を、通信部５２０を介してウェブサーバ装置４００に送信する。
【００６８】
（端末装置６００）
図１５は、端末装置６００の概略構成例を表したものである。端末装置６００は、本開示の「端末装置」の一具体例に対応する。
【００６９】
端末装置６００は、例えば、記憶部６１０、通信部６２０、ＧＰＳ通信部６３０、受付部６４０、表示部６５０および制御部６６０を有している。制御部６６０は、本開示の「端末装置における送信部」「端末装置における受信部」の一具体例に対応する。表示部６５０は、例えば、液晶パネルや有機ＥＬパネルなどで構成されている。受付部６４０は、端末装置６００におけるユーザインターフェースであり、例えば、表示部６５０の表示面に表示されるＧＵＩ（グラフィカルユーザインターフェース）である。受付部６４０は、例えば、広告媒体として登録するための移動体１０００の登録データ６１１をドライバ１２００から受け付ける。ＧＰＳ通信部６３０は、衛星から受信した情報に基づいて、位置情報および時間情報を導出し、制御部６６０に出力する。記憶部６１０は、制御部６６０によって実行されるプログラム（例えば、ウェブブラウザプログラム６１３や、オペレーティングシステム）などを記憶している。記憶部６１０には、例えば、登録データ６１１および走行データ６１２が記憶される。記憶部６１０には、例えば、リクエストＩＤ６１４が記憶される。リクエストＩＤ６１４については後に詳述する。
【００７０】
制御部６６０は、プロセッサを含んで構成されており、記憶部６１０に記憶されたウェブブラウザプログラム６１３や、オペレーティングシステムなどを実行する。通信部６２０は、ネットワーク１００を介して、広告対価演算システム１内の他の装置（ウェブサーバ装置４００等）と通信を行う。端末装置６００におけるユーザインターフェース（受付部６３０）は、例えば、ウェブサーバ装置４００から取得したアプリケーション（例えばｈｔｍｌデータ）をウェブブラウザプログラム６１３で処理することにより実現される。
【００７１】
制御部６６０は、広告媒体として登録するための移動体１０００の登録データ６１１の、ドライバ１２００からの入力を、受付部６４０を介して受け付ける。制御部６６０は、受け付けた登録データ６１１をウェブサーバ装置４００に送信する。制御部６６０は、受け付けた登録データ６１１を、ウェブサーバ装置４００を介して、データサーバ装置２００の記憶部２１０に送信する。
【００７２】
制御部６６０は、登録データ６１１に合致するリクエストデータ５１１のリクエストＩＤと一致するリクエストＩＤのポイントデータ５１２の、ウェブサーバ装置４００からの入力を、受付部６４０を介して受け付ける。以下では、登録データ６１１に合致するリクエストデータ５１１のリクエストＩＤと一致するリクエストＩＤのポイントデータ５１２を、特定のポイントデータ５１２と称するものとする。制御部６６０は、例えば、特定のポイントデータ５１２に含まれる走行地域、走行ルート、走行時間帯、走行速度および走行曜日のうち、少なくとも１つについての情報を要望情報として、ウェブサーバ装置４００から受信する。制御部６６０は、例えば、受信した要望情報を提示（表示）させるための映像信号を生成し、表示部６５０に出力してもよい。表示部６５０は、制御部６６０から入力された映像信号に基づいて、要望情報を提示（表示）することができる。これにより、制御部６６０は、ドライバ１２００に対して、広告主１１００の要望（すなわち、対価の高い条件）を知らせることができる。
【００７３】
制御部６６０は、ＧＰＳ通信部６３０から取得したデータを用いて、走行データ６１２を生成する。制御部６６０は、生成した走行データ６１２を、通信部６２０を介してウェブサーバ装置４００に送信する。制御部６６０は、対価データ４１１を、通信部６２０を介してウェブサーバ装置４００から受信する。制御部６６０は、受信した対価データ４１１を提示（表示）させるための映像信号を生成し、表示部６５０に出力してもよい。表示部６５０は、制御部６６０から入力された映像信号に基づいて、対価データ４１１を提示（表示）することができる。これにより、制御部６６０は、ドライバ１２００に対して対価の獲得を知らせることができる。
【００７４】
制御部６６０は、広告掲載依頼を、通信部６２０を介してウェブサーバ装置４００から受信する。制御部６６０は、受信した広告掲載依頼を提示（表示）させるための映像信号を生成し、表示部６５０に出力してもよい。表示部６５０は、制御部６６０から入力された映像信号に基づいて、広告掲載依頼を提示（表示）することができる。これにより、制御部６６０は、ドライバ１２００に対して、広告掲載依頼が来たことを知らせることができる。制御部６６０は、広告掲載依頼の承諾を意味する印刷依頼の、ドライバ１２００からの入力を受け付ける。制御部６６０は、広告掲載依頼の承諾を意味する印刷依頼を、通信部６２０を介してウェブサーバ装置４００に送信する。
【００７５】
[処理手順]
次に、広告対価演算システム１における処理手順について説明する。
【００７６】
図１６は、広告対価演算システム１における登録データ登録時の処理手順の一例を表したものである。まず、端末装置６００は、登録データ６１１の、ドライバ１２００からの入力を受け付ける（ステップＳ１０１）。次に、端末装置６００は、受け付けた登録データ６１１を、ウェブサーバ装置４００に送信する（ステップＳ１０２）。次に、ウェブサーバ装置４００は、端末装置６００から、登録データ６１１を受信する（ステップＳ１０３）。次に、ウェブサーバ装置４００は、受信した登録データ６１１を、データサーバ装置２００に送信する（ステップＳ１０４）。データサーバ装置２００は、ウェブサーバ装置４００から、登録データ６１１を受信する（ステップＳ１０５）。次に、データサーバ装置２００は、受信した登録データ６１１を記憶部２１０に保存する（ステップＳ１０６）。
【００７７】
図１７は、広告対価演算システム１におけるリクエストデータおよびポイントデータの登録時の処理手順の一例を表したものである。端末装置６００は、リクエストデータ５１１およびポイントデータ５１２の、広告主１１００からの入力を受け付ける（ステップＳ２０１）。端末装置６００は、受け付けたリクエストデータ５１１およびポイントデータ５１２をウェブサーバ装置４００に送信する（ステップＳ２０２）。ウェブサーバ装置４００は、端末装置６００から、リクエストデータ５１１およびポイントデータ５１２を受信する（ステップＳ２０３）。ウェブサーバ装置４００は、受信したリクエストデータ５１１およびポイントデータ５１２をデータサーバ装置２００に送信する（ステップＳ２０４）。データサーバ装置２００は、ウェブサーバ装置４００から、リクエストデータ５１１およびポイントデータ５１２を受信する（ステップＳ２０５）。データサーバ装置２００は、受信したリクエストデータ５１１およびポイントデータ５１２を記憶部２１０に保存する（ステップＳ２０６）。
【００７８】
ウェブサーバ装置４００は、リクエストデータ５１１を受け付けると、さらに、記憶部２１０のデータベース２１２の中に、リクエストデータ５１１と一致する登録データ６１１があるか否か判定する。その結果、一致する登録データ６１１があった場合には、ウェブサーバ装置４００は、一致した登録データ６１１に含まれる登録送信先情報に基づいて、広告掲載依頼を送信する（ステップＳ２０７）。広告掲載依頼には、リクエストＩＤが含まれている。ウェブサーバ装置４００は、例えば、一致した登録データ６１１に含まれる登録送信先情報に含まれるアドレス情報に基づいて、端末装置６００に広告掲載依頼を送信する。端末装置６００は、ウェブサーバ装置４００から、広告掲載依頼を受信する（ステップＳ２０８）。端末装置６００は、広告掲載依頼に含まれているリクエストＩＤをリクエストＩＤ６１４として記憶部６１０に記憶させる（図１６参照）。端末装置６００は、受信した広告掲載依頼についての情報を映像信号に変換し、表示部６５０に出力する。表示部６５０は、その映像信号を受信することにより、広告掲載依頼を表示する。
【００７９】
端末装置６００は、印刷依頼の、広告主１１００からの入力を受け付ける。印刷依頼は、広告掲載依頼の承諾を意味する。次に、端末装置６００は、受け付けた印刷依頼をウェブサーバ装置４００に送信する（ステップＳ２０９）。ウェブサーバ装置４００は、端末装置６００から、印刷依頼を受信する（ステップＳ２１０）。ウェブサーバ装置４００は、印刷依頼を受け付けると、一致した登録データ６１１に含まれる地域に最も近い印刷所の印刷所データ２１９を、記憶部２１０のデータベース２１８の中から選択する。さらに、ウェブサーバ装置４００は、印刷依頼を受け付けると、リクエストデータ５１１に含まれるファイル名に対応する画像データ２１１を、記憶部２１０から読み出す（ステップＳ２１１）。ウェブサーバ装置４００は、読み出した画像データ２１１を印刷データ３４０Ａに変換する。ウェブサーバ装置４００は、変換により得られた印刷データ３４０Ａを、記憶部２１０のデータベース２１８の中から選択した印刷所データ２１９に含まれる登録送信先情報に基づいて、印刷装置３００に送信する（ステップＳ２１２）。印刷装置３００が、外部から入力されたデータを印刷データに変換する機能を有している場合には、ウェブサーバ装置４００は、読み出した画像データ２１１を印刷データ３４０Ａに変換せずに、印刷装置３００に送信してもよい。印刷装置３００は、ウェブサーバ装置４００から、画像データ２１１もしくは印刷データ３４０Ａを受信する（ステップＳ２１３）。印刷装置３００は、印刷装置３００は、ウェブサーバ装置４００から入力されたデータ基づいて、印刷処理を行う（ステップＳ２１４）。印刷部３１０における印刷処理としては、例えば、ロイコ染料を含む情報記録層９００に対してレーザを照射する処理や、印刷面に対してインクを塗布する処理が挙げられる。なお、印刷装置３００に入力されたデータが印刷データに変換されていない場合には、印刷装置３００は、例えば、ウェブサーバ装置４００から入力された画像データ２１１を印刷データ３４０Ａに変換し、変換により得られた印刷データ３４０Ａに基づいて印刷処理を行う。
【００８０】
図１８は、広告対価演算システム１における対価決定時の処理手順の一例を表したものである。端末装置６００は、ＧＰＳ通信部６３０で得られた、移動体１０００の位置情報および時間情報を用いて、走行データ６１２を生成する（ステップＳ３０１）。端末装置６００は、生成した走行データ６１２をウェブサーバ装置４００に送信する（ステップＳ３０２）。ウェブサーバ装置４００は、端末装置６００から、走行データ６１２を受信する（ステップＳ３０３）。ウェブサーバ装置４００は、受信した走行データ６１２をデータサーバ装置２００に送信する（ステップＳ３０４）。データサーバ装置２００は、ウェブサーバ装置４００から、走行データ６１２を受信する（ステップＳ３０５）。データサーバ装置２００は、受信した走行データ６１２を記憶部２１０に保存する（ステップＳ３０６）。
【００８１】
ウェブサーバ装置４００は、受信した走行データ６１２に基づいて、移動体１０００への広告掲載に対する対価（対価データ４１２）を決定する（ステップＳ３０７）。ウェブサーバ装置４００は、決定した対価データ４１２を端末装置６００に送信する（ステップＳ３０８）。端末装置６００は、ウェブサーバ装置４００から、対価データ４１２を受信する（ステップＳ３０９）。端末装置６００は、受信した対価データ４１２を提示（表示）させるための映像信号を生成し、生成した映像信号に基づいて、対価データ４１１を提示（表示）する（ステップＳ３１０）。
【００８２】
ウェブサーバ装置４００は、さらに、決定した対価データ４１２をデータサーバ装置２００に送信する（ステップＳ３１１）。データサーバ装置２００は、ウェブサーバ装置４００から、対価データ４１２を受信する（ステップＳ３１２）。データサーバ装置２００は、受信した対価データ４１２を記憶部２１０に保存する（ステップＳ３１３）。
【００８３】
図１９は、広告対価演算システム１における要望情報を表示する時の処理手順の一例を表したものである。端末装置６００は、要望情報要求の、ドライバ１２００からの入力を受け付ける（ステップＳ４０１）。要望情報要求は、広告主１１００がドライバ１２００に要望する情報（つまり、対価の高い条件）の要求を意味する。端末装置６００は、要望情報要求を受け付けると、リクエストＩＤ６１４を記憶部６１０から読み出する（ステップＳ４０２）。端末装置６００は、読み出したリクエストＩＤ６１４をウェブサーバ装置４００に送信する（ステップＳ４０３）。ウェブサーバ装置４００は、端末装置６００から、リクエストＩＤ６１４を受信する（ステップＳ４０４）。ウェブサーバ装置４００は、受信したリクエストＩＤ６１４と一致するリクエストＩＤを含むポイントデータ５１２を記憶部２１０のデータベース２１３から読み出す（ステップＳ４０５）。ウェブサーバ装置４００は、読み出したポイントデータ５１２を端末装置６００に送信する（ステップＳ４０６）。端末装置６００は、ウェブサーバ装置４００から、ポイントデータ５１２を受信する（ステップＳ４０７）。端末装置６００は、受信したポイントデータ５１２を提示（表示）させるための映像信号を生成し、表示部６５０に出力する。表示部６５０は、制御部６６０から入力された映像信号に基づいて、対価データ４１１を提示（表示）する（ステップＳ４０８）。これにより、制御部６６０は、ドライバ１２００に対して要望情報（つまり、対価の高い条件）を知らせることができる。
【００８４】
[効果]
次に、本実施の形態に係る広告対価演算システム１の効果について説明する。
【００８５】
広告は、人目に触れる様々な場所に設けられる。近年では、通常は広告スペースとして利用されないような場所に広告を掲載する例が多数、見受けられる。例えば、バンボディの大型トラックの荷台の側面や、バス・タクシーの側面などに、広告を掲載する例が多数、見受けられる。
【００８６】
ところで、上述したような移動体は、常に、広告に適した場所を走行したり、広告に適した時間帯に走行したりするとは限らない。そのため、固定した場所に広告を掲載する場合と比べて、費用対効果を実感することが容易ではない。
【００８７】
一方、本実施の形態に係る広告対価演算システム１では、移動体１０００の走行データ６１２に基づいて、移動体１０００への広告掲載に対する対価が決定される。これにより、広告主１１００は、広告１３００の掲載された移動体１０００の走行場所や時間帯の広告価値に応じた対価を広告掲載費用の全体または一部として支払うことができる。その結果、移動体１０００への広告掲載における費用対効果を実感し易くすることができる。
【００８８】
また、本実施の形態に係る広告対価演算システム１では、データベース２１４の中に、ウェブサーバ装置４００で受信した登録ユーザＩＤと一致する登録ユーザＩＤがある場合に、対価（対価データ４１２）が決定される。これにより、対価（対価データ４１２）の演算が、現にデータベース２１４に登録されている移動体１０００に限定されるので、ウェブサーバ装置４００に対する、対価（対価データ４１２）の演算による負荷を少なくすることができる。その結果、ウェブサーバ装置４００のコストを低く抑えることができるので、この広告対価演算システム１の利用料も低く抑えることができる。従って、移動体１０００への広告掲載における費用対効果を実感し易くすることができる。
【００８９】
また、本実施の形態に係る広告対価演算システム１では、ウェブサーバ装置４００で決定した対価についての情報（対価データ４１２）が端末装置６００に送信される。これにより、ドライバ１２００は、広告１３００を付けて移動体１０００を走らせたことによる対価（対価データ４１２）を表示部６５０ですぐに確認することができるので、ドライバ１２００の、広告１３００を付けて移動体１０００を走らせることへのモチベーションを維持、向上させることができる。その結果、移動体１０００に付けた広告１３００が需要者の目に触れる機会が多くなる。従って、移動体１０００への広告掲載における費用対効果を実感し易くすることができる。
【００９０】
また、本実施の形態に係る広告対価演算システム１では、登録送信先情報に基づいて、対価についての情報（対価データ４１２）が送信される。これにより、ドライバ１２００は、広告１３００を付けて移動体１０００を走らせたことによる対価（対価データ４１２）を表示部６５０ですぐに確認することができるので、ドライバ１２００の、広告１３００を付けて移動体１０００を走らせることへのモチベーションを維持、向上させることができる。その結果、移動体１０００に付けた広告１３００が需要者の目に触れる機会が多くなる。従って、移動体１０００への広告掲載における費用対効果を実感し易くすることができる。
【００９１】
また、本実施の形態に係る広告対価演算システム１では、走行データ６１２に含まれる位置情報および時間情報が上記特典条件に該当する場合には、走行データ６１２に含まれる位置情報および時間情報が上記特典条件に該当しない場合と比べて、対価（対価データ４１２）が増額される。これにより、ドライバ１２００の、広告１３００を付けて移動体１０００を走らせることへのモチベーションを維持、向上させることができる。その結果、移動体１０００に付けた広告１３００が需要者の目に触れる機会が多くなる。従って、移動体１０００への広告掲載における費用対効果を実感し易くすることができる。
【００９２】
また、本実施の形態に係る広告対価演算システム１では、広告媒体として登録するための移動体１０００の識別情報および送信先情報が、移動体１０００の登録データ６１１として記憶部２１０のデータベース２１４に記憶される。これにより、移動体１０００ごとに対価（対価データ４１２）を管理することができ、さらに、対価（対価データ４１２）をドライバ１２００に通知することができる。これにより、ドライバ１２００は、広告１３００を付けて移動体１０００を走らせたことによる対価（対価データ４１２）を表示部６５０ですぐに確認することができるので、ドライバ１２００の、広告１３００を付けて移動体１０００を走らせることへのモチベーションを維持、向上させることができる。その結果、移動体１０００に付けた広告１３００が需要者の目に触れる機会が多くなる。従って、移動体１０００への広告掲載における費用対効果を実感し易くすることができる。
【００９３】
また、本実施の形態に係る広告対価演算システム１では、ポイントデータ５１２が、登録送信先情報に基づいて送信される。これにより、ドライバ１２００は、広告１３００を付けて移動体１０００を走らせたことによる対価（対価データ４１２）を表示部６５０ですぐに確認することができるので、ドライバ１２００の、広告１３００を付けて移動体１０００を走らせることへのモチベーションを維持、向上させることができる。その結果、移動体１０００に付けた広告１３００が需要者の目に触れる機会が多くなる。従って、移動体１０００への広告掲載における費用対効果を実感し易くすることができる。
【００９４】
また、本実施の形態に係る広告対価演算システム１では、登録データ６１１および印刷所データ２１９に基づいて、画像データ２１１もしくは印刷データ３４０Ａに基づく印刷の実施に適した印刷所が決定される。そして、決定された印刷所の登録送信先情報に基づいて、画像データ２１１もしくは印刷データ３４０Ａが送信される。これにより、ドライバ１２００が印刷のために移動体１０００を運ぶ手間や、印刷のために印刷所と行うやりとりを最小限に抑えることができる。その結果、印刷コストを低く抑えることができるので、この広告対価演算システム１の利用料も低く抑えることができる。従って、移動体１０００への広告掲載における費用対効果を実感し易くすることができる。
【００９５】
また、本実施の形態に係る広告対価演算システム１では、印刷データ４３０Ａが、ロイコ染料を含んで構成された情報記録層９００に対する印刷に適したデータ形式となっている。これにより、移動体１０００のボディに直接、インクを塗布することにより、広告１３００を形成する場合と比べて、印刷コストを大幅に低減することができる。従って、移動体１０００への広告掲載における費用対効果を実感し易くすることができる。
【００９６】
また、本実施の形態に係る広告対価演算システム１では、移動体１０００の走行データ６１２をウェブサーバ装置４００に送信すると、走行データ６１２に基づいて決定された、移動体１０００への広告掲載に対する対価についての情報がウェブサーバ装置４００から得られる。これにより、広告主１１００は、移動体１０００のドライバ１２００に対して、広告１３００の掲載された移動体１０００の走行場所や時間帯の広告価値に応じた対価を広告掲載費用として支払うことができる。従って、移動体１０００への広告掲載における費用対効果を実感し易くすることができる。
【００９７】
また、本実施の形態に係る広告対価演算システム１では、移動体１０００の登録データ６１１が受け付けられ、受け付けられ登録データ６１１がデータサーバ装置２００の記憶部２１０に送信される。このように、本実施の形態では、簡単な方法でドライバ登録をすることができるので、多くのドライバ１２００の登録を促すことができる。その結果、ドライバ登録に要する費用を低く抑えることができる。従って、移動体１０００への広告掲載における費用対効果を実感し易くすることができる。
【００９８】
また、本実施の形態に係る広告対価演算システム１では、対価についての情報が端末装置６００の表示部６５０に表示することができる。これにより、ドライバ１２００は、移動体１０００を走らせると対価がもらえる、ということを実感することができるので、ドライバ１２００の、広告１３００を付けて移動体１０００を走らせることへのモチベーションを維持、向上させることができる。その結果、移動体１０００に付けた広告１３００が需要者の目に触れる機会が多くなる。従って、移動体１０００への広告掲載における費用対効果を実感し易くすることができる。
【００９９】
また、本実施の形態に係る広告対価演算システム１では、端末装置６００は、走行地域、走行ルート、走行時間帯、走行速度および走行曜日のうち、少なくとも１つについての情報を要望情報として受信する。これにより、ドライバ１２００に対して、対価の高い条件を知らせることができるので、ドライバ１２００の、広告１３００を付けて移動体１０００を走らせることへのモチベーションを維持、向上させることができる。その結果、移動体１０００に付けた広告１３００が需要者の目に触れる機会が多くなる。従って、移動体１０００への広告掲載における費用対効果を実感し易くすることができる。
【０１００】
また、本実施の形態に係る広告対価演算システム１では、端末装置６００で受信した要望情報が表示部６５０に表示される。これにより、ドライバ１２００は、移動体１０００を走らせると対価がもらえる、ということを実感することができるので、ドライバ１２００の、広告１３００を付けて移動体１０００を走らせることへのモチベーションを維持、向上させることができる。その結果、移動体１０００に付けた広告１３００が需要者の目に触れる機会が多くなる。従って、移動体１０００への広告掲載における費用対効果を実感し易くすることができる。
【０１０１】
＜変形例＞
［変形例Ａ］
上記実施の形態では、広告主１１００からの依頼に基づいて広告１３００が印刷されていた。しかし、上記実施の形態において、広告対価演算システム１に移動体１０００を登録したドライバ１２００からの広告印刷要求に基づいて広告１３００が印刷されてもよい。ただし、その場合には、費用対効果を鑑みて、広告印刷要求をしたドライバ１２００の移動体１０００の登録データ６１１が、広告主１１００のリクエストデータ５１１と合致する場合にのみ、広告１３００が印刷されるなどの制限があることが好ましい。
【０１０２】
例えば、図１９に示したように、端末装置６００が、広告印刷要求の、ドライバ１２００からの入力を受け付けたとする（ステップＳ５０１）。すると、端末装置６００は、受け付けた広告印刷要求をウェブサーバ装置４００に送信する（ステップＳ５０２）。広告印刷要求には、例えば、登録ユーザＩＤが含まれている。ウェブサーバ装置４００は、端末装置５００から、広告印刷要求を受信する（ステップＳ５０３）。すると、ウェブサーバ装置４００は、広告印刷要求に含まれる登録ユーザＩＤに対応する登録データ６１１が、広告主１１００のリクエストデータ５１１と合致するか否か判定する（ステップＳ５０４）。合致すると判定された場合、ウェブサーバ装置４００は、要求受領を端末装置５００に送信する（ステップＳ５０５）。端末装置５００は、ウェブサーバ装置４００から、要求受領を受信する（ステップＳ５０６）。合致すると判定された場合、さらに、ウェブサーバ装置４００は、合致したリクエストデータ５１１に対応する印刷データ２１１をデータサーバ装置２００から読み出し（ステップＳ５０７）、印刷装置３００に送信する（ステップＳ５０８）。印刷装置３００は、ウェブサーバ装置４００から、印刷データ２１１を受信する（ステップＳ５０９）。印刷装置３００は、受信した印刷データ２１１を、所定の移動体１０００に印刷する（ステップＳ５１０）。
【０１０３】
このように、ドライバ１２００からの要求に応じて印刷がなされた場合であっても、上記実施の形態と同様の効果が得られる。
【０１０４】
また、上記実施の形態において、広告対価演算システム１に移動体１０００を登録したドライバ１２００からの広告印刷要求に基づいて広告が印刷される場合には、ドライバ１２００に、何らかの費用（例えば、印刷費用、デザイン費用など）を負担してもらってもよい。
【０１０５】
［変形例Ｂ］
上記実施の形態では、広告１３００は、移動体１０００に設けられた情報記録層９００に対して形成されていた。しかし、例えば、図２１に示したように、広告１３００が、樹脂シールに印刷されていてもよい。ただし、この場合には、広告対価演算システム１は、印刷装置３００の代わりに、樹脂シールに印刷可能な印刷装置７００を備えている。さらに、広告１３００付きの樹脂シールが、移動体１０００に貼り付けられる。このようにした場合であっても、上記実施の形態と同様の効果が得られる。
【０１０６】
広告１３００付きの樹脂シールが移動体１０００に貼り付けられているか否かの確認をすることができるような仕組みが広告対価演算システム１に設けられていることが好ましい。例えば、ドライバ１２００が端末装置６００において、広告対価演算システム１にログインする際に、端末装置６００が、ドライバ１２００に対して、移動体１０００に貼り付けてある広告１３００を撮影するように要求してもよい。端末装置６００は、撮影により得られた画像データをウェブサーバ装置４００に送信する。ウェブサーバ装置４００が、端末装置６００から送られてきた画像データと、記憶部２１０に格納された画像データ２１１とを対比し、これらが一致した場合に、ログイン許可を端末装置６００に送信する。端末装置６００は、ウェブサーバ装置４００からログイン許可を受信すると、ドライバ１２００の、広告対価演算システム１へのログインを許可する。このような仕組みが設けられていることにより、広告１３００付きの樹脂シールの、移動体１０００への貼り付け忘れを防止することができる。その結果、移動体１０００に広告１３００を付けずに移動体１０００を走行させたときの対価の発生を防止することができる。また、移動体１０００に付けた広告１３００が需要者の目に触れる機会が多くなる。従って、移動体１０００への広告掲載における費用対効果を実感し易くすることができる。
【０１０７】
以上、実施の形態を挙げて本開示を説明したが、本開示は上記実施の形態等に限定されるものではなく、種々変形が可能である。例えば、上記実施の形態では、移動体１０００として自動車が例示されていた。しかし、移動体１０００は、例えば、バイクや自転車などの車両であってもよいし、ショッピングカートや手荷物用のカバンなどであってもよい。
【０１０８】
なお、本明細書中に記載された効果は、あくまで例示である。本開示の効果は、本明細書中に記載された効果に限定されるものではない。本開示が、本明細書中に記載された効果以外の効果を持っていてもよい。
【０１０９】
また、例えば、本開示は以下のような構成を取ることができる。
（１）
移動体の位置情報および時間情報を受信する受信部と、
前記受信部で受信した前記位置情報および前記時間情報に基づいて、前記移動体への広告掲載に対する対価を決定する決定部と
を備えた
広告対価演算システム。
（２）
前記受信部は、前記位置情報および前記時間情報とともに、前記移動体の識別情報を受信し、
前記決定部は、広告媒体として登録された複数の登録移動体の登録識別情報を記憶する記憶部の中に、前記受信部で受信した前記識別情報と一致する前記登録識別情報がある場合に、前記対価を決定する
（１）に記載の広告対価演算システム。
（３）
前記決定部で決定した前記対価についての情報を送信する送信部をさらに備えた
（１）または（２）に記載の広告対価演算システム。
（４）
前記決定部で決定した前記対価についての情報を送信する送信部をさらに備え、
前記記憶部は、前記登録識別情報ごとに、前記登録識別情報と関連付けられた登録送信先情報を記憶し、
前記送信部は、前記登録送信先情報に基づいて、前記対価についての情報を送信する
（２）に記載の広告対価演算システム。
（５）
前記決定部は、前記位置情報および前記時間情報が特典条件に該当する場合には、前記位置情報および前記時間情報が前記特典条件に該当しない場合と比べて前記対価を増額する
請求項１に記載の広告対価演算システム。
（１）ないし（４）のいずれか１つに記載の広告対価演算システム。
（６）
前記受信部は、前記移動体の識別情報および送信先情報を受信するとともに、受信した前記登録情報および前記送信先情報を、前記登録移動体の前記登録識別情報および前記登録送信先情報として前記記憶部に記憶させる
（４）に記載の広告対価演算システム。
（７）
前記記憶部は、走行地域および走行距離のうち、少なくとも前記走行地域についての情報を要望情報として記憶し、
前記送信部は、前記登録送信先情報に基づいて、前記要望情報を送信する
（４）ないし（６）のいずれか１つに記載の広告対価演算システム。
（８）
前記記憶部は、広告用の画像データと、前記画像データもしくは前記画像データを変換することにより得られる印刷データに基づいた印刷を行うことの可能な印刷所についての印刷所情報とを記憶し、
前記決定部は、前記登録識別情報と、前記印刷所情報とに基づいて、前記画像データもしくは前記印刷データに基づく印刷の実施に適した前記印刷所を決定し、  前記送信部は、前記決定部で決定した前記印刷所についての前記印刷所情報に基づいて、前記画像データもしくは前記印刷データを送信する
（４）ないし（７）のいずれか１つに記載の広告対価演算システム。
（９）
前記印刷データは、ロイコ染料を含んで構成された記録層に対する印刷に適したデータ形式となっている
（８）に記載の広告対価演算システム。
（１０）
移動体の位置情報および時間情報を、前記位置情報および前記時間情報に基づいて前記移動体への広告掲載に対する対価を決定する外部機器に送信する送信部と、
前記外部機器から前記対価についての情報を受信する受信部と
を備えた
端末装置。
（１１）
前記移動体の識別情報および送信先情報を受け付ける受付部をさらに備え、
前記送信部は、前記受付部で受け付けた前記識別情報および前記送信先情報を記憶装置に送信する
（１０）に記載の端末装置。
（１２）
前記受信部で受信した前記対価についての情報を表示する表示部をさらに備えた
（１０）または（１１）に記載の端末装置。
（１３）
前記受信部は、走行地域、走行ルート、走行時間帯、走行速度および走行曜日のうち、少なくとも１つについての情報を要望情報として、前記外部機器から受信する
（１０）ないし（１２）のいずれか１つに記載の端末装置。
（１４）
前記受信部で受信した前記要望情報を表示する表示部をさらに備えた
（１３）に記載の端末装置。
【０１１０】
本出願は、日本国特許庁において２０１６年１１月１７日に出願された日本特許出願番号第２０１６−２２３９２６号を基礎として優先権を主張するものであり、この出願のすべての内容を参照によって本出願に援用する。
【０１１１】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2018092474.tif 000003
【図２】
2018092474.tif 000004
【図３】
2018092474.tif 000005
【図４】
2018092474.tif 000006
【図５】
2018092474.tif 000007
【図６】
2018092474.tif 000008
【図７】
2018092474.tif 000009
【図８】
2018092474.tif 000010
【図９】
2018092474.tif 000011
【図１０】
2018092474.tif 000012
【図１１】
2018092474.tif 000013
【図１２】
2018092474.tif 000014
【図１３】
2018092474.tif 000015
【図１４】
2018092474.tif 000016
【図１５】
2018092474.tif 000017
【図１６】
2018092474.tif 000018
【図１７】
2018092474.tif 000019
【図１８】
2018092474.tif 000020
【図１９】
2018092474.tif 000021
【図２０】
2018092474.tif 000022
【図２１】
2018092474.tif 000023
【国際調査報告】
2018092474.tif 000024
2018092474.tif 000025
2018092474.tif 000026
2018092474.tif 000027